(57)【要約】【課題】シングルレバー式混合部とは別体で湯水の開閉バルブを備えた湯水混合水栓において、ディスクカートリッジを常時開状態で、かつ開閉バルブで吐止水を行う場合におけるディスクカートリッジの破損を防止する。【解決手段】固定ディスクと、可動ディスクとをカートリッジケースの内部に収納してなるディスクカートリッジを、筒状のハウジングの内部に組み込んでなる湯水混合水栓であって、吐出流路を開閉可能な開閉バルブが設けられている湯水混合水栓において、前記固定ディスク及び可動ディスクの径方向外方におけるカートリッジケースとの間に水溜空間が形成され、この水溜空間は前記可動ディスクに形成された前記混合室と連通していると共に、この水溜空間と前記ハウジング内部とを連通する開口孔部が前記カートリッジケースに設けられている。【選択図】  図７
2007263320.tif 000002
【特許請求の範囲】
【請求項１】
固定ディスクと、レバーハンドル操作によって前記固定ディスク上を摺動する混合室を有する可動ディスクとをカートリッジケースの内部に収納してなるディスクカートリッジを、筒状のハウジングの内部に組み込んでなる湯水混合水栓であって、
前記混合室から流出する混合水が流れる吐出流路に、この吐出流路を開閉可能な開閉バルブが設けられている湯水混合水栓において、
前記固定ディスク及び可動ディスクの径方向外方におけるカートリッジケースとの間に水溜空間が形成され、この水溜空間は前記可動ディスクに形成された前記混合室と連通していると共に、この水溜空間と前記ハウジング内部とを連通する開口孔部が前記カートリッジケースに設けられていることを特徴とする湯水混合水栓。
【請求項２】
前記開口孔部は、前記カートリッジケースの周面に複数個設けられていることを特徴とする請求項１記載の湯水混合水栓。
【請求項３】
前記ハウジングにカートリッジ押えをねじ込むことにより、前記カートリッジケースが前記ハウジングに対して押圧移動を伴って固定されており、このカートリッジ押えと前記ハウジングとの当接面、及び、前記カートリッジケースとの当接面には、前記押圧移動の方向とは直交する向きにシール部材が設けられていることを特徴とする請求項１又は２記載の湯水混合水栓。
【発明の詳細な説明】
【技術分野】
【０００１】
本発明は、レバーハンドルの操作によって、給水・給湯管から供給された湯水を混合及び吐止水するシングルレバー式混合部を有する湯水混合水栓に係り、特にシングルレバー式混合部とは別体で、このシングルレバー式混合部から流出した混合水の吐止水を行なう開閉バルブを備えた湯水混合水栓に関する発明である。 
【背景技術】
【０００２】
従来のシングルレバー式混合部を有する湯水混合水栓は、その本体内部にディスクカートリッジを内包し、ハンドル操作により湯水の流量操作、温調操作および吐止水操作を行うよう構成されている（例えば、特許文献１参照）。 
すなわち、従来のディスクカートリッジは、湯・水の流入口および混合湯水の流出口を備えた下段の３つの孔を穿設した固定ディスクと、レバーハンドル操作によって固定ディスク上を摺動運動する単一の孔を穿設した可動ディスクとをディスクカートリッジケーシング内に収容した構造となっている。
つまり、湯水混合水栓の使用者は、水を吐水したい場合は、レバーハンドルを上方に持ち上げ、止水したい場合は、レバーハンドルを押し下げるよう操作することで、簡単に水の吐止水ができる。また、吐水中にレバーハンドルを右方向（時計回り）に回動させれば、固定ディスクの水の流入口の開口面積が狭くなり、湯の流入割合が増大し、高温の湯水が吐水される。逆にレバーハンドルを左方向（反時計回り）に回動すれば、固定ディスクの湯の流入口の開口面積が狭くなり、水の流入割合が増大し、低温の湯水が吐水される。
現在では、簡単なハンドル操作により所望の湯水と湯量を得ることができるため、上述の構成を備えた湯水混合水栓が一般的であり、一般家庭に普及されるようになっている。
【０００３】
しかしながら、昨今はユニバーサルデザイン配慮、すなわち誰でもが使い易い水栓装置の提供が望まれている。つまり、シングルレバー式混合部で予め所望の湯温および湯量を設定しておき、このシングルレバー式混合部とは別に設けられた開閉バルブを開閉して、吐水口からの吐止水を行うような水栓装置である。
ところが、このような場合、常時、シングルレバー式混合部にて樹脂製のディスクカートリッジを吐水状態にしているため、そして、ディスクカートリッジにおいては固定ディスクと可動ディスクを収納したカートリッジケース内にも水が溜まっている構成であるため、開閉バルブの開閉時にディスクカートリッジにかかるウォーターハンマー（以下、ＷＨと記載する）により、ディスクカートリッジにおける固定ディスク及び可動ディスクを収納したカートリッジケースが割れて漏水し、湯水混合水栓を設置したキャビネット内を濡らしたり、最悪の場合は階下まで漏水させてしまう等の問題があった。特に、漏水に繋がる惧れがあるため、長期間留守にする場合等は特に危険であるという問題があった。
【０００４】
【特許文献１】特開２００４−７６８６０号公報
【発明の開示】
【発明が解決しようとする課題】
【０００５】
本発明は、上記問題を解決するためになされたもので、本発明の課題は、シングルレバー式混合部とは別体で湯水の開閉バルブを備えた湯水混合水栓において、ディスクカートリッジを常時開状態で、かつ開閉バルブで吐止水を行う場合におけるディスクカートリッジの破損を防止することを目的とする。
【課題を解決するための手段】
【０００６】
上記目的を達成するために請求項１記載の発明によれば、固定ディスクと、レバーハンドル操作によって前記固定ディスク上を摺動する混合室を有する可動ディスクとをカートリッジケースの内部に収納してなるディスクカートリッジを、筒状のハウジングの内部に組み込んでなる湯水混合水栓であって、前記混合室から流出する混合水が流れる吐出流路に、この吐出流路を開閉可能な開閉バルブが設けられている湯水混合水栓において、前記固定ディスク及び可動ディスクの径方向外方におけるカートリッジケースとの間に水溜空間が形成され、この水溜空間は前記可動ディスクに形成された前記混合室と連通していると共に、この水溜空間と前記ハウジング内部とを連通する開口孔部が前記カートリッジケースに設けられていることに特徴を有する。
これにより、ディスクカートリッジにおいて、混合水の吐出状態で開閉バルブが閉とすることにより、カートリッジケースの水溜空間には一次圧がかかることになるが、この水溜空間は開口孔部によってハウジングとも連通してるため、一次圧はカートリッジケースの内外にかかる為、内側からのみ一次圧がかかってカートリッジケースが破損するといった恐れが無い。
【０００７】
また、請求項２記載の発明のよれば、前記開口孔部は、前記カートリッジケースの周面に複数個設けられていることに特徴を有する。
これにより、ハウジングとカートリッジケースとの全周に均等に圧力がかかるため、カートリッジケースの破損を効果的に防止することができる。
【０００８】
また、請求項３記載の発明によれば、前記ハウジングにカートリッジ押えをねじ込むことにより、前記カートリッジケースが前記ハウジングに対して押圧移動を伴って固定されており、このカートリッジ押えと前記ハウジングとの当接面、及び、前記カートリッジケースとの当接面には、前記押圧移動の方向とは直交する向きにシール部材が設けられていることにも特徴を有する。
これにより、シール部材であるＯリングはカートリッジケースの押し込みに伴い変形量が変わることがなく、所定のシール力を得ることができ、水漏れを確実に防ぐことができる、という効果を奏する。
【発明の効果】
【０００９】
本発明によれば、ディスクカートリッジとは別体で吐水部に湯水の開閉バルブを備えた湯水混合水栓において、ディスクカートリッジを常時開状態で、かつ吐水部の開閉バルブで吐止水を行う湯水混合水栓のディスクカートリッジの破損を確実に防止できるという効果がある。
【発明を実施するための最良の形態】
【００１０】
以下に図面を参照し、発明内容を詳細に説明することにする。図１は本発明に係る湯水混合水栓を固定した洗面化粧台の要部を示す斜視図。図２は図１の棚カバーを外した場合の斜視図。図３は本発明の湯水混合水栓を示す斜視図。図４は本発明の湯水混合水栓の一部切欠いた平面図。図５は本発明のディスクカートリッジの斜視図。図６は本発明のディスクカートリッジの分解斜視図。図７は本発明の湯水混合水栓の一部であるハウジングにディスクカートリッジを収容した断面図。図８は本発明のディスクカートリッジを第二の実施態様の水栓に搭載した正面図。図９は図８のハンドルの中央部分から切断した断面図である。
【００１１】
図１において洗面化粧台Ａは洗面器１の下部に設置される図示しないキャビネットおよび棚部２上部に設置される鏡を除いた要部を示すものであり、樹脂あるいは陶器にで製造された洗面器１上部には小物類を載置可能な棚部２を有している。洗面器１には一般的な洗面化粧台の構成としてある、洗面ボウル３とカウンター４を備える構成となっている。
さらに、洗面器１上部に配設された棚部２には、棚部２下面に配設された給湯ホース５および給水ホース６（図３参照）より湯水混合水栓７に供給された湯水の吐止水および流量・温調操作するレバーハンドル８を備え、棚部２の前面には湯水を吐水するためのスパウト９を備えている。また、本発明の特徴でもあるが、湯水の吐止水を操作するレバーハンドル８以外に棚部２前面に湯水の吐止水のみを操作するスイッチ１０を備えている。
また、レバーハンドル８の右横には洗面ボウル３下面に構成された排水栓を操作するための排水栓操作ボタン１１を具備している。排水栓操作ボタン１１は洗面ボウル３内に水溜めしたい場合は排水栓（図示せず）を下降させ排水口を閉塞し、逆に水溜めしたくない場合は排水栓を上昇させ、排水口を解放操作するためのものである。
【００１２】
上記のよう構成した洗面化粧台Ａの使用者は、具体的な動作については後で図３，図４に基づいて説明するように、予めレバーハンドル８で好みの流量および湯温を調整しておき、つまり、常にシングルレバー式混合部Ｄに内蔵されたディスクカートリッジＢを開である吐水状態にしておき、スイッチ１０で開閉バルブ２１を開閉操作して吐止水を行うことができることになるため、非常に使い勝手の良い湯水混合水栓として使用することができることになる。
また、簡単なスイッチ操作により湯水の吐止水が可能となるので、こまめに吐止水を行うようになり、節水効果も期待できる。
【００１３】
図２は棚カバー１２を取外した図であるが、湯水混合水栓７は棚前面１３に固定部材１４を介して固定されている。また、湯水混合水栓７はプレート１５にビス１６を介し棚部２の下面に固定するよう構成されている（図４参照）。
また、スパウト９の先端部には吐水をシャワー状あるいは泡沫状に切り替える吐水口１７を備えている。さらに、棚部２は横方向に長い矩形状であるため、強度を持たせるための補強リブ１８を複数一定間隔で備えた構造となっている。これにより棚カバー１２上に小物類を載置しても棚部２が壊れることがないよう構成されている。
【００１４】
図３は本発明の湯水混合水栓を示す斜視図である。湯水混合水栓７は、棚部２下面に隠蔽された給湯ホース５および給水ホース６がシングルレバー式混合部Ｄのハウジング１９後端に接続され、ハウジング１９には図５に示すディスクカートリッジＢが内蔵されていると共に前面にはレバーハンドル８が具備されている。ディスクカートリッジＢ内で混合された湯水は吐水流路２０を介しで開閉バルブ２１に接続されるよう構成されている。開閉バルブ２１にはシャワーホース２２が接続されており、その先端にはスパウト９、されには吐水口１７が固定されている。
また、開閉バルブ２１には吐水流路２０を開閉するバルブ機構としてのタッチユニットＣが収容されており、その先端部をスイッチ１０に連動したスイッチユニット２３の一部が押圧することにより、湯水の吐止水が可能となるのである。
さらにプレート１５はハウジング１９を収容する部分については円弧状にプレート１５を湾曲させることにより、ハウジング１９の回り止めを兼ねる構成としている。
【００１５】
図４を用いてタッチユニットＣの動作について簡単に説明する。
ディスクカートリッジＢを通って流出する湯水は、吐水流路２０を介してタッチユニットＣに流入する。タッチユニットＣで止水する場合、スイッチ１０をスイッチユニット２３のスライダー２４が押すことにより、その押付け力が操作力伝達部材２５を介して連結棒２６からパイロット弁２７を押し込む。その結果、ダイアフラムである主弁体２８の圧力開放穴２９を閉塞し、圧力室３０内に湯水が流入し、圧力室３０内の圧力が上昇し、主弁体２８に背圧が発生し、主弁体２８が弁座３１に押付けられ湯水が止水する。
【００１６】
また、湯水を吐水する場合は、再度、スイッチ１０を押すことにより、パイロット弁２７内部のラッチ機構により、連結棒２６の押付け力が開放され、バネ３２の力により連結棒２６を介してパイロット弁２７が元の位置に戻される。これにより、圧力開放穴２９から圧力室３０内の背圧が開放され、主弁体２８の弁座３１への押付け力が無くなり湯水が通水されることになる。
【００１７】
図５はディスクカートリッジＢの斜視図であり、カートリッジケース３４の外周にはカートリッジケース３４内と外側の圧力を均等に保持するための開口孔部３５が穿設されている。
ディスクカートリッジＢの上部にはレバーハンドル８を連接するためのレバー３６が上部の固定ディスク３７に固定されている。さらに、カートリッジケース３４内には図６に示すようセラミック製の上下２枚の固定ディスク３７、３８、つまり下側の固定ディスク３８には湯・水の流入口および混合湯水の流出口を備えた孔を穿設しており、２枚の固定ディスクの間には湯水の混合量および湯温を調節する可動ディスク３９を備えるよう構成されている。
ディスクカートリッジＢのカートリッジケース３４の外周に穿設された開口孔部３５の作用効果については後述することにする。
【００１８】
図７は湯水混合水栓の一部であるハウジング１９にディスクカートリッジＢを収容した断面図であり、ハウジング１９内にディスクカートリッジＢがレバー３６を前方に突出するよう収容されている。また、レバーハンドル８上部には意匠性向上を狙いとしてハンドルカバー３３にてレバーハンドル８を覆っている。レバー３６にはレバーハンドル８が連接されており、このレバーハンドル８により湯水の吐止水、流量および温調操作が行われることになる。
給湯ホース５および給水ホース６からディスクカートリッジＢに流入した湯水は下側の固定ディスク３８を介し可動ディスク３９の混合室４０内でミキシングされ、さらに下側の固定ディスク３８の流出口から流出経路４１を介し、吐水経路２０から開閉バルブ２１へと導かれる。なお、ディスクカートリッジＢの内部において、可動ディスク３９の混合室４０はこの可動ディスク３９の径方向外方におけるカートリッジケース３４との間に形成された水溜空間４２とも連通しており、混合室４０の内部の混合湯は水溜空間４２へ供給され、可動ディスク３９と固定ディスク３７，３８の外周においても接水することになり、固着を防いで摺動性に優れるものである。
この際、ディスクバルブＢから吐水経路２０までは一次圧がかかることになり、開閉バルブ２１の開閉により発生するＷＨや、その周囲の設備のバルブ開閉にて発生するＷＨにより、水溜空間４２を介してカートリッジケース３４に圧力が加わって割れて漏水し、洗面化粧台Ａを設置したキャビナット内を濡らしたり、最悪の場合は階下まで漏水させてしまう等の問題があった。特に、漏水に繋がる惧れがあるため、長期間留守にする場合等は特に危険であるという問題があった。そのため、カートリッジケースＢの外周に開口孔部３５を穿設しているのである。つまり、混合室４０にて混合された湯水は水溜空間４２を通じて開口孔部３５から流出し、ハウジング１９とカートリッジケース３４との間に設けられた外部水溜空間４２ａに侵入することになる。これにより、カートリッジケース３４内面の水溜空間４２の圧力とカートリッジケース３４外面の外部水溜空間４２ａとの圧力が均一になり、開閉バルブ２１の開閉により発生するＷＨや、その周囲の設備のバルブ開閉にて発生するＷＨが生じた場合であっても、カートリッジケース３４が破損するといった恐れが無い。
【００１９】
また開口孔部３５は強度面で問題のない範囲で複数個穿設しても良い。円周方向に９０°間隔であれば４個、１２０°間隔であれば３個であり、その個数はこれに限るものではないが、本実施例においては、カートリッジケース３４成形時に発生するウエルドを避けるようの等間隔ではないが、４個の開口孔部３５を穿設している。さらに、開口孔部３５は円形状が強度面で望ましい。
従って、ハウジング１９とカートリッジケース３４との全周に均等に圧力がかかるため、カートリッジケース３４の破損を効果的に防止することができる。
【００２０】
さらに、ハウジング１９にカートリッジ押え４３をねじ込むことにより、カートリッジケース３４がハウジング１９に対して押圧移動を伴って固定されており、このカートリッジ押え４３とハウジング１９との接触面、及び、カートリッジケース３４との当接面には、押圧移動の方向とは直交する向きにシール部材としてのＯリング４４が設けられている。
これにより、Ｏリング４４はカートリッジケース３４の押し込みに伴い変形量が変わることがなく、所定のシール力を得ることができ、水漏れを確実に防ぐことができるという効果を奏する。
【００２１】
図８および図９は本発明の第二の実施態様に係わる湯水混合水栓を示すものである。
第二実施例の湯水混合水栓７７においては、カウンター５０上面にハンドシャワー昇降部５１を有すると共に開閉バルブ（図示せず）を内蔵した水栓本体部５２と、前記したディスクカートリッジＢを内蔵したシングルングルレバー式混合部５３とが別体で設置されている。さらに、水栓本体部５２の吐水口５４上部に開閉バルブを操作するための先端ボタン５５が設置されている。
ここで、前記の湯水混合水栓７と異なる点は、シングルングルレバー式混合部５３の下流側にフレキホース５６が接続されている点である。すなわち、第一の実施形態の湯水混合水栓７は、シングルングルレバー式混合部５３の下流側は金属製の吐水流路２０が接続されているのに対し、第二の実施例においてはシングルングルレバー式混合部５３の下流側は樹脂製のフレキホース５６が接続されている点で大きく異なる。
すなわち、湯水混合水栓７７において、給湯ホース５７および給水ホース５８から流入した湯水は内筒状のハウジング１９に収容されたディスクカートリッジＢ内で混合されて吐出管６０を介しフレキホース５６へと導かれることになる。
従って、第二実施例においては、給湯ホース５７あるいは給水ホース５８内にＷＨが生じた場合、樹脂製のフレキホース５６内の圧力を抑え破断を防止する目的で、フレキホース５６の上流側に調圧ユニット６１を備えている点で第一実施例と構成を異にしている。
なお、ハウジング１９の上部にはハンドル６３を備えており、ディスクカートリッジＢに内蔵された可動ディスク（図６参照）を操作可能である。また、ハウジング１９のカウンター５０より上部に位置する部分はハウジングカバー５９にて覆われている。
【００２２】
図９を用いて、第二実施例の構成を簡単に説明する。
カウンター５０を挟持するよう上面にハウジング１９を締め付けナット６２にて固定し、ハウジング１９内部にはディスクカートリッジＢを収容している。ディスクカートリッジＢ内で混合された湯水は吐出管６０を介してフレキホース５６へと導かれる。フレキホース５６の上流側にはフレキホース５６の破断を防止する目的で調圧ユニット６１を接続している。
調圧ユニット６１は内部に調圧弁６４、その上流側にはゴミ等の異物を除去するフィルター６５を具備するとともに、調圧する際に必要となる小孔６９からの漏水を防止するため、ボール６６を備えたフロート弁６７を調圧ユニット６１外周に備えた構造となっている。
これにより、圧力を調圧した状態で湯水がフレキホース５６へ導かれるため、フレキホース５６に無理な圧力がかかることがなくなり、フレキホース５６の破断を防止することが可能となる。
また、湯水混合水栓の施工性向上を狙いとして、吐出管６０と調圧ユニットとの接続を簡単に行うようワンタッチカプラー６８を採用し、施工ミスによる漏水の危険性を少なくし、安全性にも配慮する構造としている。
【図面の簡単な説明】
【００２３】
【図１】本発明に係る湯水混合水栓を固定した洗面化粧台の要部を示す斜視図である。
【図２】本発明の図１の棚カバーを外した場合の斜視図である。
【図３】本発明の本発明の湯水混合水栓を示す斜視図である。
【図４】本発明の本発明の湯水混合水栓の一部切欠いた平面図である。
【図５】本発明の本発明のディスクカートリッジの斜視図である。
【図６】本発明の本発明のディスクカートリッジの分解斜視図である。
【図７】本発明の本発明の湯水混合水栓の一部であるハウジングにディスクカートリッジを収容した断面図である。
【図８】本発明の第二の実施態様に係わる湯水混合水栓の正面図である。
【図９】図８のハンドルの中央部分から切断した断面図である。
【符号の説明】
【００２４】
Ａ…洗面化粧台
Ｂ…ディスクカートリッジ
Ｃ…タッチユニット
Ｄ…シングルレバー式混合部
１…洗面器
２…棚部
３…洗面ボウル
４…カウンター
５…給湯ホース
６…給水ホース
７…湯水混合水栓
８…レバーハンドル
９…スパウト
１０…スイッチ
１１…排水栓操作ボタン
１２…棚カバー
１３…棚前面
１４…固定部材
１５…プレート
１６…ビス
１７…吐水口
１８…補強リブ
１９…ハウジング
２０…吐水流路
３４…カートリッジケース
３５…開口孔部
３７、３８…固定ディスク
３９…可動ディスク
４０…混合室
４３…カートリッジ押え
４４…Ｏリング
【図１】
2007263320.tif 000003
【図２】
2007263320.tif 000004
【図３】
2007263320.tif 000005
【図４】
2007263320.tif 000006
【図５】
2007263320.tif 000007
【図６】
2007263320.tif 000008
【図７】
2007263320.tif 000009
【図８】
2007263320.tif 000010
【図９】
2007263320.tif 000011